(57)【特許請求の範囲】
【請求項１】
デジタルの写真画像のプリントを行うためにプリント拠点にネットワークを介して写真情報を配送する写真配送システムのサーバ装置であって、
前記ネットワークに接続可能な携帯型のユーザ端末装置から送られる、利用者の移動に関する場所情報と時間情報とを含み、前記場所情報として前記ユーザ端末装置の現在地を含む情報である利用者の移動経路情報を取得し、複数のプリント拠点の中から前記利用者の移動経路付近のプリント拠点を抽出してプリント出力先の候補を示すプリント出力先候補情報を前記ユーザ端末装置に送る出力先選択手段を含み、
前記出力先選択手段は、前記複数のプリント拠点の場所情報を含むプリント拠点データベースを参照し、前記移動経路付近に該当するプリント拠点に対して写真画像プリントの仕上がり時間要求を送り、これらのプリント拠点から取得したプリント仕上がり時間情報と前記移動経路情報の時間情報とに基づき、前記プリント出力先候補情報としてプリント拠点の名称と場所情報とを含むリストを作成することを特徴とする写真配送システムのサーバ装置。
【請求項２】
前記プリント拠点のネットワーク上の位置情報を含むプリント拠点データベースを参照し、前記選択されたプリント拠点に対して前記ユーザ端末装置より送られた写真情報を配送する写真情報配送手段を含むことを特徴とする請求項１に記載の写真配送システムのサーバ装置。
【請求項３】
デジタルの写真画像のプリントを行うためにプリント拠点にネットワークを介して写真情報を配送する写真配送システムに用いる携帯型のユーザ端末装置であって、
プリント出力先のプリント拠点を選択する出力先選択装置に利用者の移動経路情報として、利用者の移動に関する場所情報と時間情報とを含み、前記場所情報として前記ユーザ端末装置の現在地を含む情報を当該ユーザ端末装置から送るとともに、複数のプリント拠点の中から前記利用者の移動経路付近のプリント拠点を抽出したプリント出力先の候補を示すプリント出力先候補情報を前記出力先選択装置から取得してリスト表示し、利用者の選択操作に応じてプリント拠点選択情報を前記出力先選択装置に送るものであることを特徴とするユーザ端末装置。
【請求項４】
写真情報を保持したデジタルスチルカメラが接続された場合に、このデジタルスチルカメラから写真情報を取得して前記プリント出力先となるプリント拠点に直接、またはこのプリント拠点への写真情報配送を行う写真情報配送装置に写真情報を送ることを特徴とする請求項３に記載のユーザ端末装置。
【請求項５】
前記ユーザ端末装置が撮像手段を有している場合、または前記ユーザ端末装置に写真情報が保持されている場合、利用者の操作に応じて前記プリント出力先となるプリント拠点に直接、またはこのプリント拠点への写真情報配送を行う写真情報配送装置に写真情報を送ることを特徴とする請求項３に記載のユーザ端末装置。
【請求項６】
デジタルの写真画像のプリントを行うためにプリント拠点にネットワークを介して写真情報を配送する写真配送システムに用いるプログラムであって、
プリント出力先のプリント拠点を選択する出力先選択装置に利用者の移動経路情報として、利用者の移動に関する場所情報と時間情報とを含み、前記場所情報として前記ユーザ端末装置の現在地を含む情報を当該ユーザ端末装置から送るとともに、複数のプリント拠点の中から前記利用者の移動経路付近のプリント拠点を抽出したプリント出力先の候補を示すプリント出力先候補情報を前記出力先選択装置から取得してリスト表示し、利用者の選択操作に応じてプリント拠点選択情報を前記出力先選択装置に送る機能を、前記ネットワークに接続可能な携帯型のユーザ端末装置に実現させることを特徴とするプログラム。
【請求項７】
写真情報を保持したデジタルスチルカメラが接続された場合に、このデジタルスチルカメラから写真情報を取得して前記プリント出力先となるプリント拠点に直接、またはこのプリント拠点への写真情報配送を行う写真情報配送装置に写真情報を送る機能を、前記ネットワークに接続可能なユーザ端末装置に実現させることを特徴とする請求項６に記載のプログラム。
【請求項８】
前記ユーザ端末装置が撮像手段を有している場合、または前記ユーザ端末装置に写真情報が保持されている場合、利用者の操作に応じて前記プリント出力先となるプリント拠点に直接、またはこのプリント拠点への写真情報配送を行う写真情報配送装置に写真情報を送る機能を、前記ネットワークに接続可能なユーザ端末装置に実現させることを特徴とする請求項６に記載のプログラム。
【発明の詳細な説明】
【０００１】
【発明の属する技術分野】
本発明は、デジタルスチルカメラで撮影した画像をプリントする際の写真配送システムに関し、詳しくは、ネットワークを介して複数のプリント拠点の中から適宜選択して写真情報を配送し、プリントした写真を受け取り可能にするための写真配送システム、及びそのサーバ装置、ユーザ端末装置、並びにプログラムに関する。
【０００２】
【従来の技術】
近年、デジタルスチルカメラの普及に伴い、撮影した画像のプリントや加工を行うためのサービスとして、インターネット等のネットワークを介したプリント注文や写真情報の伝送が可能な写真プリントサービスが提案され、そのシステムが運用されつつある。
【０００３】
デジタルスチルカメラで撮影した画像を高品質のプリント写真として印画紙などにプリントする場合、利用者は画像を記録したメディアをプリントサービス店舗などの受付窓口に持参して写真情報を提供したり、ネットワークを介して写真情報をサービスセンターに伝送してプリントの注文を行っている。ネットワークを介してプリント注文を行う場合には、利用者はプリント写真の受け渡し店舗を検索し、自宅付近などの利用者に都合の良い店舗を指定して仕上がったプリント写真を受け取ることができるようになっている。
【０００４】
例えば、特開２０００−１４８４２５号公報に開示されているように、利用者からの印刷オーダのオーダ属性情報とプリントショップの情報とに基づいてプリントの出力先リストを作成し、利用者が候補のプリントショップの中から出力先を選択できるようにした印刷システムが提案されている。
【０００５】
【発明が解決しようとする課題】
上述したような従来のシステムでは、利用者がプリント注文時に出力先、すなわちプリント写真の受け取り先を選択して指示することは可能であるが、利用者が移動する場合の対応などが考慮されておらず、利用者の位置やプリントにかかる時間などに応じた適切な出力先の選択は困難であった。例えば、ラボ機器を用いたプリントには早くても１時間程度の時間を要するため、旅先等で撮影した画像を帰路中にできるだけ早くプリントして受け取りたいといった要望に答えられるものではなかった。
【０００６】
本発明は、上記事情に鑑みてなされたもので、利用者が移動する場合であっても適切な場所で素早くプリント写真を受け取ることが可能な写真配送システム、サーバ装置、ユーザ端末装置及びプログラムを提供することを目的とする。
【０００７】
【課題を解決するための手段】
本発明は、デジタルの写真画像のプリントを行うためにプリント拠点に写真情報を配送する写真配送システムであって、ネットワークに接続されたサーバ装置と、前記ネットワークに接続可能な携帯型のユーザ端末装置と、前記ネットワークに接続された複数のプリント拠点とを有し、前記サーバ装置は、前記ユーザ端末装置から利用者の移動経路情報を取得し、前記複数のプリント拠点の中から前記利用者の移動経路付近のプリント拠点を抽出してプリント出力先の候補を示すプリント出力先候補情報を前記ユーザ端末装置に送る出力先選択装置を含み、前記移動経路情報は、利用者の移動に関する場所情報と時間情報とを含み、前記場所情報は前記ユーザ端末装置の現在地を含むもので、前記出力先選択装置は、前記複数のプリント拠点の場所情報を含むプリント拠点データベースを参照し、前記移動経路付近に該当するプリント拠点に対して写真画像プリントの仕上がり時間要求を送り、これらのプリント拠点から取得したプリント仕上がり時間情報と前記移動経路情報の時間情報とに基づき、前記プリント出力先候補情報としてプリント拠点の名称と場所情報とを含むリストを作成することを特徴とする。
【０００９】
また、好ましくは、写真配送システムにおいて、前記ユーザ端末装置は、前記利用者の移動経路情報を前記出力先選択装置に送るとともに、前記出力先選択装置から取得したプリント出力先候補情報をリスト表示し、利用者の選択操作に応じてプリント拠点選択情報を前記出力先選択装置に送るものであることとする。
【００１０】
また、好ましくは、写真配送システムにおいて、前記サーバ装置は、前記プリント拠点のネットワーク上の位置情報を含むプリント拠点データベースを参照し、前記選択されたプリント拠点に対して前記ユーザ端末装置より送られた写真情報を配送する写真情報配送装置を含むこととする。
【００１１】
また、好ましくは、写真配送システムにおいて、前記ユーザ端末装置は、写真情報を保持したデジタルスチルカメラが接続された場合に、このデジタルスチルカメラから写真情報を取得して前記プリント出力先となるプリント拠点に直接、またはこのプリント拠点への写真情報配送を行う写真情報配送装置に写真情報を送ることとする。
【００１２】
また、好ましくは、写真配送システムにおいて、前記ユーザ端末装置は、前記ユーザ端末装置が撮像手段を有している場合、または前記ユーザ端末装置に写真情報が保持されている場合、利用者の操作に応じて前記プリント出力先となるプリント拠点に直接、またはこのプリント拠点への写真情報配送を行う写真情報配送装置に写真情報を送ることとする。
【００１３】
本発明は、デジタルの写真画像のプリントを行うためにプリント拠点にネットワークを介して写真情報を配送する写真配送システムのサーバ装置であって、前記ネットワークに接続可能な携帯型のユーザ端末装置から利用者の移動経路情報を取得し、複数のプリント拠点の中から前記利用者の移動経路付近のプリント拠点を抽出してプリント出力先の候補を示すプリント出力先候補情報を前記ユーザ端末装置に送る出力先選択手段を含み、前記移動経路情報は、利用者の移動に関する場所情報と時間情報とを含み、前記場所情報は前記ユーザ端末装置の現在地を含むもので、前記出力先選択手段は、前記複数のプリント拠点の場所情報を含むプリント拠点データベースを参照し、前記移動経路付近に該当するプリント拠点に対して写真画像プリントの仕上がり時間要求を送り、これらのプリント拠点から取得したプリント仕上がり時間情報と前記移動経路情報の時間情報とに基づき、前記プリント出力先候補情報としてプリント拠点の名称と場所情報とを含むリストを作成することを特徴とする。
【００１５】
また、好ましくは、サーバ装置において、前記プリント拠点のネットワーク上の位置情報を含むプリント拠点データベースを参照し、前記選択されたプリント拠点に対して前記ユーザ端末装置より送られた写真情報を配送する写真情報配送手段を含むこととする。
【００１６】
本発明は、デジタルの写真画像のプリントを行うためにプリント拠点にネットワークを介して写真情報を配送する写真配送システムに用いる携帯型のユーザ端末装置であって、プリント出力先のプリント拠点を選択する出力先選択装置に利用者の移動経路情報として、利用者の移動に関する場所情報と時間情報とを含み、前記場所情報は前記ユーザ端末装置の現在地を含む情報を送るとともに、複数のプリント拠点の中から前記利用者の移動経路付近のプリント拠点を抽出したプリント出力先の候補を示すプリント出力先候補情報を前記出力先選択装置から取得してリスト表示し、利用者の選択操作に応じてプリント拠点選択情報を前記出力先選択装置に送るものであることを特徴とする。
【００１７】
また、好ましくは、ユーザ端末装置において、写真情報を保持したデジタルスチルカメラが接続された場合に、このデジタルスチルカメラから写真情報を取得して前記プリント出力先となるプリント拠点に直接、またはこのプリント拠点への写真情報配送を行う写真情報配送装置に写真情報を送ることとする。
【００１８】
また、好ましくは、ユーザ端末装置において、前記ユーザ端末装置が撮像手段を有している場合、または前記ユーザ端末装置に写真情報が保持されている場合、利用者の操作に応じて前記プリント出力先となるプリント拠点に直接、またはこのプリント拠点への写真情報配送を行う写真情報配送装置に写真情報を送ることとする。
【００１９】
本発明は、デジタルの写真画像のプリントを行うためにプリント拠点にネットワークを介して写真情報を配送する写真配送システムに用いるプログラムであって、プリント出力先のプリント拠点を選択する出力先選択装置に利用者の移動経路情報として、利用者の移動に関する場所情報と時間情報とを含み、前記場所情報は前記ユーザ端末装置の現在地を含む情報を送るとともに、複数のプリント拠点の中から前記利用者の移動経路付近のプリント拠点を抽出したプリント出力先の候補を示すプリント出力先候補情報を前記出力先選択装置から取得してリスト表示し、利用者の選択操作に応じてプリント拠点選択情報を前記出力先選択装置に送る機能を、前記ネットワークに接続可能な携帯型のユーザ端末装置に実現させることを特徴とする。
【００２０】
また、好ましくは、プログラムにおいて、写真情報を保持したデジタルスチルカメラが接続された場合に、このデジタルスチルカメラから写真情報を取得して前記プリント出力先となるプリント拠点に直接、またはこのプリント拠点への写真情報配送を行う写真情報配送装置に写真情報を送る機能を、前記ネットワークに接続可能なユーザ端末装置に実現させることとする。
【００２１】
また、好ましくは、プログラムにおいて、前記ユーザ端末装置が撮像手段を有している場合、または前記ユーザ端末装置に写真情報が保持されている場合、利用者の操作に応じて前記プリント出力先となるプリント拠点に直接、またはこのプリント拠点への写真情報配送を行う写真情報配送装置に写真情報を送る機能を、前記ネットワークに接続可能なユーザ端末装置に実現させることとする。
【００２２】
本発明では、ユーザ端末装置より利用者の移動経路情報をサーバ装置の出力先選択装置に送り、出力先選択装置は、プリント拠点データベースにおける複数のプリント拠点の場所情報を参照し、移動経路付近に該当するプリント拠点に対して写真画像プリントの仕上がり時間要求を送り、これらのプリント拠点から取得したプリント仕上がり時間情報と移動経路情報の時間情報とに基づき、プリント出力先候補情報としてプリント拠点の名称と場所情報とを含むリストを作成してユーザ端末装置に送る。ユーザ端末装置では、出力先選択装置から取得したプリント出力先候補情報をリスト表示し、利用者の選択操作に応じてプリント拠点選択情報を出力先選択装置に送る。サーバ装置の写真情報配送装置は、プリント拠点データベースにおけるプリント拠点のネットワーク上の位置情報を参照し、選択されたプリント拠点に対してユーザ端末装置より送られた写真情報を配送する。
【００２３】
これにより、例えば旅先等で撮影した写真画像を帰路中にプリントしたい場合など、利用者が移動する場合であっても、移動経路の近くにあるプリント拠点の候補の中から選択して写真情報を配送でき、適切な場所で素早くプリント写真を受け取ることが可能となる。
【００２４】
【発明の実施の形態】
以下、図面を参照して本発明の実施の形態を説明する。
図１は本発明の一実施形態に係る写真配送システムの概略構成を示すブロック図である。
【００２５】
本実施形態では、デジタルスチルカメラ１１で撮影した写真画像のプリント注文指示や写真情報の伝送などを行うユーザ端末装置として、携帯電話機１２を備えている。この携帯電話機１２は、基地局１３と無線インターフェースによって接続され、移動体通信網、電話網、インターネット等のネットワーク１４と接続されて信号やデータの送受信を行うようになっている。ネットワーク１４上には、ネットワークプリント受付サービスを提供するサーバ装置１５が設けられる。このサーバ装置１５は、写真情報の出力先のプリント拠点を選択する出力先選択装置１６と、選択された出力先へ写真情報を配送する写真情報配送装置１７との機能を有してなる。また、ネットワーク１４には、プリント拠点である複数のプリントショップ１８ａ，１８ｂ，１８ｃ，…（以降、任意のプリントショップを符号１８で代表して示す）に設置される端末装置であるプリント装置１９ａ，１９ｂ，１９ｃ，…（以降、任意のプリント装置を符号１９で代表して示す）が接続されている。
【００２６】
出力先選択装置１６及び写真情報配送装置１７を含むサーバ装置１５は、コンピュータなどで構成され、これらの出力先選択装置１６と写真情報配送装置１７は単一の装置によって構成してもよいし、別体の装置として構成してもよい。
【００２７】
次に、本実施形態の写真配送システムにおける動作として、まず、プリント依頼時の写真情報の出力先の選択動作について説明する。図２は写真情報出力先の選択動作時における機能構成及び処理の流れを示す動作説明図である。
【００２８】
デジタルスチルカメラ１１で撮影した写真画像のプリントを依頼する場合は、デジタルスチルカメラ１１を携帯電話機１２に接続するなどして、プリント注文開始操作を行うことにより、プリント注文処理が開始される。このとき、利用者の操作により、図３に示すような場所情報と時間情報とを含む移動経路情報３１が携帯電話機１２から出力先選択装置１６に送られる。
【００２９】
前記移動経路情報３１は、利用者の現在地、経由地、目的地などの目標となる位置の場所情報と、各場所に利用者がいるかまたは到達する予定時刻の時間情報とを含むものである。この移動経路情報３１は、利用者が入力することもできるし、移動体通信システムが提供する位置情報サービス等を利用して現在地や目的地の情報を得るようにしてもよいし、インターネット上等で提供される電車の路線や道路の経路情報サービスのデータベースを利用して現在地、経由地、目的地などの情報を得ることも可能である。
【００３０】
出力先選択装置１６は、移動経路情報を受けると、図４に示すような自身が保持しているプリント拠点データベース３２を参照して、移動経路情報３１の場所情報と対応して利用者の移動経路付近に存在するプリントショップ１８を抽出し、該当する各プリントショップ１８のプリント装置１９に対して写真画像プリントの仕上がり時間要求を送信する。プリント拠点データベース３２は、例えば、プリントショップの店名、その店舗がある場所情報、ネットワーク上の位置情報としてのＵＲＬを含むレコードをプリントショップ毎に形成したもので構成される。なお、新たに本システムを採用するプリントショップができた場合は、プリント拠点データベース３２に新規のプリントショップのレコードを追加する。
【００３１】
プリント装置１９は、プリント依頼応答部２１を有しており、出力先選択装置１６からの要求に応答して自装置におけるプリント仕上がり時間を示すプリント仕上がり時間情報を送信する。なお、プリント依頼応答部２１は、プリントショップ１８においてプリント装置１９とは別体に設けた端末装置に備えるようにしてもよい。
【００３２】
そして、出力先選択装置１６は、プリントショップ１８から取得したプリント仕上がり時間情報と携帯電話機１２から取得した移動経路情報の時間情報とに基づき、プリント出力先として適したプリント拠点のリストを作成し、プリント出力先候補情報として出力して携帯電話機１２に送信する。このプリント出力先候補情報には、プリント仕上がり時間情報と移動経路情報の時間情報とが適合するプリントショップが推奨プリントショップとしてリストアップされ、その名称及び場所情報が含まれるものとなる。
【００３３】
なお、プリントショップ１８のプリント装置１９におけるプリント依頼応答部２１は、前記プリント仕上がり時間情報とともにプリント料金情報を出力先選択装置１６に送信し、出力先選択装置１６において、プリント出力先候補情報として予め利用者が設定したプリント料金に適合するプリントショップのみを抽出するようにしてもよいし、プリント出力先候補情報にプリント料金情報を加えて携帯電話機１２に送信し、プリント料金も考慮して利用者に選択させるようにしてもよい。
【００３４】
携帯電話機１２は、前記プリント出力先候補情報を受けると、図５に示すように表示部にプリントショップリスト３３として表示する。これにより、利用者がプリントを受け取りたい出力先のプリントショップを適宜選択することができる。図５はプリントショップリスト３３の表示画面の一例を示したものである。このプリントショップリスト３３には、プリントショップの名称及び場所等の説明文とともに、場所を示す地図を表示可能とすることができる。この地図情報は、出力先選択装置１６が保持しているプリント拠点データベース３２に格納しておけばよい。
【００３５】
利用者が携帯電話機１２を操作してプリントショップリスト３３の中からプリント写真を受け取りたい所望のプリントショップを選択すると、プリント拠点選択情報が出力先選択装置１６に送られ、、デジタルスチルカメラ１１で撮影した写真情報が携帯電話機１２、写真情報配送装置１７を介してプリント出力先として選択されたプリントショップ１８のプリント装置１９に送られる。ここで、写真情報の配送動作について説明する。図６は写真情報の配送動作時における機能構成及び処理の流れを示す動作説明図である。
【００３６】
デジタルスチルカメラ１１で撮影した写真情報は、携帯電話機１２に取り込まれた後、写真情報配送装置１７に一旦送られる。そして、写真情報配送装置１７は、選択された出力先のプリントショップ１８のプリント装置１９に対して写真情報を送信する。
【００３７】
写真情報としては、写真そのものの画像データの他に、コメント情報、日時情報、場所情報などの写真に関する付加情報や、プリントサイズ、プリント枚数、カラー・白黒の指定、プリント写真の表面仕上げの種類、プリント写真のふちの有り無しなどといったプリントに関する付加情報なども含まれる。これらの情報は、撮影時やプリント注文時などにデジタルスチルカメラ１１や携帯電話機１２において自動的にまたは手動で入力されるようにする。
【００３８】
プリント装置１９は、写真情報受信部２２とプリント処理部２３を有しており、送られてきた写真情報を写真情報受信部２２で受信し、プリント処理部２３において色補正や拡大・縮小などの必要な処理を施した後、印画紙にプリントすることでプリント写真２５を作成する。利用者は、前述のようにプリント注文時に選択したプリント拠点、すなわち、移動経路に存在する、所望の時間に訪れることのできる場所にある適当なプリントショップ１８で出来上がったプリント写真２５を受け取ることができる。
【００３９】
なお、写真情報の配送は、写真情報配送装置１７を経由せずに、携帯電話機１２において出力先のプリントショップ１８の情報を取得し、携帯電話機１２から直接、選択されたプリントショップ１８のプリント装置１９に送信するようにしてもよい。
【００４０】
また、プリントショップ１８のプリント装置１９のプリント依頼応答部２１または写真情報受信部２２において、依頼を受けたプリント枚数やプリントサイズなどによってプリント料金の請求を行うようにしてもよい。このプリント料金の決済処理は、ネットワーク上の電子決済や携帯電話機の利用料金の決済などによって行うことができる。
【００４１】
ユーザ端末装置としては、携帯電話機だけでなく、携帯情報端末（ＰＤＡ）などの携帯端末装置、携帯型のパーソナルコンピュータなどの通信機器を用いることもできる。
【００４２】
また、プリント依頼者である利用者の移動経路とは無関係の人にプリント写真を配りたい場合、例えば利用者が旅行中に撮影した写真を旅行に同行していない友人に送る場合や遠方にいる友人に写真を送る場合などには、移動経路情報にプリント写真を配送したい人がいる場所情報を入力することによって、その人の近くのプリントショップにプリントを依頼してプリント写真を受け取り可能なようにすることができる。
【００４３】
また、移動経路情報は移動中など途中で適宜変更することも可能である。
また、上記の実施形態では、プリント出力先として選択されたプリントショップに写真情報を配送してプリント処理を行い、利用者がそのプリントショップで出来上がったプリント写真を受け取り可能にした例を説明したが、プリント写真を受け取るプリントショップとは別の近くにあるラボセンターやプリントショップにおいてプリント処理を行い、受け取り用に選択されたプリントショップにプリント写真を転送するような構成であってもよい。すなわち、プリント拠点としてプリント処理を行う所とプリント写真を受け取る所とが同一でなく異なる場合であっても、それぞれの場所情報と処理にかかる時間情報とを考慮することによって上記と同様のシステムを構成することができる。
【００４４】
上述したように、本実施形態では、デジタルスチルカメラで撮影された写真画像のプリントを行う場合で、プリントを依頼する利用者が例えば地点Ａから地点Ｂへの移動を伴う場合において、写真のプリント処理や出来上がったプリント写真の受け渡しを行うプリントショップなどの複数のプリント拠点のデータベースを用い、各プリント拠点でのプリント仕上がり時間情報とその場所情報、及び利用者の移動経路情報としての場所情報と時間情報に基づき、プリントを依頼するのに適したプリント拠点を抽出して推奨プリント拠点のリストを作成し、利用者に紹介するようにしている。これにより、利用者は移動経路において都合のよい所望のプリント拠点を選択でき、例えば旅先等で撮影した写真画像を帰路中にプリントしたい場合など、地点Ａから地点Ｂへの移動中などでも迅速に適切な場所でプリント写真を受け取ることが可能となる。したがって、プリントの注文時や受取時の手間を軽減することができ、利用者にとっての利便性を向上させることができる。
【００４５】
【発明の効果】
以上説明したように本発明によれば、利用者が移動する場合であっても適切な場所で素早くプリント写真を受け取ることが可能な写真配送システム、及びそのサーバ装置、ユーザ端末装置、並びにプログラムを提供できる効果がある。
【図面の簡単な説明】
【図１】本発明の一実施形態に係る写真配送システムの概略構成を示すブロック図である。
【図２】写真情報出力先の選択動作時における機能構成及び処理の流れを示す動作説明図である。
【図３】移動経路情報の一例を示す説明図である。
【図４】プリント拠点データベースの一例を示す説明図である。
【図５】プリントショップリストの表示例を示す説明図である。
【図６】写真情報の配送動作時における機能構成及び処理の流れを示す動作説明図である。
【符号の説明】
１１  デジタルスチルカメラ
１２  携帯電話機
１３  基地局
１４  ネットワーク
１５  サーバ装置
１６  出力先選択装置
１７  写真情報配送装置
１８  プリントショップ
１９  プリント装置
２１  プリント依頼応答部
２２  写真情報受信部
２３  プリント処理部
２５  プリント写真
３１  移動経路情報
３２  プリント拠点データベース
３３  プリントショップリスト
【図１】
0004001476.tif 000002
【図２】
0004001476.tif 000003
【図３】
0004001476.tif 000004
【図４】
0004001476.tif 000005
【図５】
0004001476.tif 000006
【図６】
0004001476.tif 000007